(57)【要約】      （修正有）【課題】木造家屋を白蟻による蝕害から守るため白蟻予防・駆除薬液計量容器、ビニール系用材を用い、用材の中には閉栓の後始末の一例として又、部屋のインテリアを加味し道具建一式を提供する。【解決手段】大切な家屋の、白蟻退治には、四・五年に一度は専門の駆除業者に点検を依頼し次の、点検までの間は、毎年飛来する白蟻が寄り付かぬように、逆さまにして用いる駆除薬液入り白蟻予防・駆除薬液計量容器を、園芸用の消毒・病害虫駆除用農薬の取り扱い同様に、家主自ら柱・横木・家具等要所の穿孔部に差込注入を施し、古い柱のシミ油汚れ、柱穿孔部の被栓・襖の破損部を、ビニ−ル系の年輪・木の芽等連結模様の小型・表張り紙で補修、模様替えも行うことにより、家主・家族も共に学習し、楽しく、インテリアと駆除が容易に出来る自主的駆除道具を提供するものである。【選択図】図６
0003163786.tif 000002
【実用新案登録請求の範囲】
【請求項１】
ロケット型の樹脂製・白蟻予防・駆除薬液計量容器「２００−３００ｃｃ入り」を用いて柱等の、ドリル穿孔部に、所要量を手で持ち続けることなく、じっくり注入でき、松の木のマツノザイセンチュウ等、生木にも対処可能な、逆さまにして用いる白蟻予防・駆除薬液計量容器。
【請求項２】
上記、計量容器の薬液においては、家庭菜園・園芸用の消毒・病害虫駆除用農薬の取り扱い同様に、家主も業者もマニュアルに沿って、毎年飛来する白蟻を、自主的に予防法として用いる、請求項１記載の、逆さまにして用いる白蟻予防・駆除薬液計量容器。
【請求項３】
上述の計量容器の所要量をすべて注入した後の、ドリル穿孔部の閉栓用木栓は、客間等に違和感を与えるので、飾り金具或は、破れの補修にも、ビニール系の木目模様、小型・表張り紙で覆い、更に、インテリアとして、リフォームの際や、季節感の有る風景画等、柱・壁・横木・襖を連結模様の、表貼り紙で、貼り上げる一連の工作も学習して、一家総出で工夫したり、楽しく年中行事に‥‥わが家に対して、益々愛着が湧き、白蟻駆除とインテリアが同時に出来る、請求項１記載の逆さまにして用いる白蟻予防・駆除薬液計量容器
【請求項４】
上記記載の、家屋関連事項を、特に、白蟻の駆除・工事関係を、時系列的に、詳細に、家屋の記録簿として、１００年持つ家にする為、其の時・時の当主が子々孫々継承するものとする家屋歴。請求項１記載の逆さまにして用いる白蟻予防・駆除薬液計量容器。
【考案の詳細な説明】
【技術分野】
【０００１】  本考案は、木造家屋を白蟻による蝕害から守るため白蟻予防・駆除薬液計量容器（以下、計量容器とします）ビニール系用材を用い、用材の中には閉栓の後始末の一例として又、部屋のインテリアを加味し道具建一式を含む白蟻駆除の自主的防衛に関する。
【背景技術】
【０００２】  白蟻予防・駆除に関しては、すべて駆除業者が、一貫して床下の土壌消毒・白蟻の巣の根絶、柱・横木等木材部への薬液の注入、天井裏まで這ってドリル穿孔・ホ−スで薬液注入、閉栓までの工程を処理してもらえるので安心であった。しかしながら、家人が管理には余り関心がなく、白蟻の蝕害で気が付いた時には、手の打ちようも無く建替を余儀なくされるといった事例も多い。木造家屋は日本産の木材が日本の風土にも合っており国土の６３％の森林があるのに、熱帯雨林の森林伐採・木材の輸入国である日本への風当たりは深刻で林業従事者が少ない事情とか又、白蟻の被害よる立替へも遠因かと、家屋に限らず神社の鳥居が根から蝕害で倒れていたり、果ては、生木にもマツノザイセンチュウ・木喰い虫で立ち枯れ等の害を受けることもある。
【考案の開示】
【考案が解決しようとする課題】
【０００３】  湿っぽい床下から蟻道を作り這い上がって来る在来種の白蟻に加え、アメリカ乾材白蟻が家具に着床したままで輸入、買った人の家にすっかり居付き、既にあちら此方で被害が出ており、外来種の白蟻で、駆除法は、屋根までスッポリ天幕で覆い薬の燻蒸しかないといい、乾材という位に乾いた木材を好み、巣から飛び出してきた羽蟻が、木造の家の屋根周辺や窓辺、網戸の隙間からでも侵入触手を伸ばしてくる大敵である。【０００４】  個人の貴重な財産の家屋、子々孫々まで１００年いや、もっと長く大切にして長持ちして欲しいのであり、それには家主が又は管理者が、自主的に家を守るという精神で、素人といえども駆除法などの仕様・工程を、学習していかなければならないが、先ずは、新築後四・五年目には、新築時木材の浸漬した駆除薬も効果が薄れているから、白蟻にいささかも隙を与えず次の予防策として必ず、この考案の専用容器を用いること、この専用容器使用が実施の為の工程の第一歩としてが大前提であり、又予防と駆除法を本考案のマニュアルに沿って実施する場合、柱・横木のドリル穿孔部の箇所や、一階・二階のどの箇所へ、薬液量を何ｃｃ注入すればいいか等々、毎年飛来する白蟻に対処し自主防衛するには、新築して四・五年後と言わず薬効が薄れる時期前にせめて、三年目位に、専門で提携業者の白蟻駆除業者に依頼し完全なドリル穿孔術等の処置を施すところや、予防を兼ねた駆除薬注入・工程等を、家主・管理者にも業者の実際の作業・工程を見学してもらいたいものである。
【課題を解決するための手段】
【０００５】  個人の大切な資産である家屋を白蟻の蝕害から守るには、専門の駆除業者に依頼するのが一番の安心な手段であり、しかしながら、四・五年おきに依頼するには費用の面でも、出費大であり、その間にも毎年々々飛来する白蟻、前記のアメリカ乾材白蟻と気がかりも多く、この様な事態に対処するためには、四・五年おきに、専門の駆除業者には、四・五年に一度、家屋全体の白蟻点検を依頼、此れはやはり、音波探知機等の専門機器による検査は確実なもので、其の後は又四・五年先に点検をと繰り返すこととし、検査の結果、着・営巣が認められなかったら、次の五年までのその間の、一年・二年・三年・四年・四年間は、自主防衛となり次の点検を、またまた繰り返し毎年、梅雨後の晴れた日にが、白蟻飛来時期で、家屋の持主、管理者が前記［０００４］「課題の２行目記載」マニュアルにしたがって、腕を発揮してもらいたいところである。【０００６】  其の場合には、専用容器使用してのこととなるが、せめて、一代目の家主が２代目の子の代まで共に、家の管理に関心を持ってもらうように、一家総出で駆除薬を注入するなど、小さいうちから、馴れ親しんでもらうよう家族にも「１００年持つ家屋」計画を学習してほしいものである。用いる薬液においては、園芸用の消毒・病害虫駆除農薬の取り扱い同様に毒物劇物等の規格に沿ったもので２００ｃｃ他の専用容器入りを用いる。作業開始には、天候・風向き・強弱等、安全マスク・手袋使用などの勉強もかかせない。
【考案を実施するための形態】
【０００７】  一度、業者により、ドリル穿孔処置を済ましたら、素人の家主でも、容易に本考案の専用容器での注入ができ、しかしながら、ベテランの業者と異なり、美しい仕上がりは余り期待は出来ないが、少しくらいの、薬液の溢れたシミや汚れは、又、注入が終わった後の閉栓部をすこしでも綺麗にと、本考案では、図１の従来からの柱に、飾り金具と、ドリル穿孔部の注入口が整合、ロケット型の専用容器注入の図であり、図２−５は、現在室内のリフォームに、多用される柱や壁、襖等の（木の目模様など）やや厚めのビニール系・表貼り紙の、小型の部分表張り紙の使用により、薬液注入後は、上から張ることで二穴の注入口には、木栓不要である。
【０００８】  従来の白蟻駆除法との、方法の違いの一つは、逆さまにして用いる、白蟻予防・駆除薬液容器の件、二つは個人でもマニュアルに沿って毎年飛来する白蟻を自主防衛ができる、三つは、１００年長持ちする家屋（木造建築物）として、家屋歴の作成、時系列的に「家屋の状態、変化、前回の予防・駆除記録・業者の社名、年月日、立会人誰某、・・とか、費用も記録として、坪単価０００００円等の又、各種の、保障・保険等の記載事項、次回の予防・駆除は、西暦００００年００月００日」家屋歴として１００年もっと残るような記録簿。
【考案の効果】
【０００９】  本考案記載の、逆さまに用いる容器を使用する場合に、ドリル穿孔部を全部開口してから、次に専用容器を開栓し、穿孔した一穴・一穴へ逆さまに差込んでいく作業を総て、流れ作業にすることで、仕事の能率アップにつながり、柱の角寸の大小によって２００ｃｃ他・選別して、最後の一滴までじっくり所要量を、ホース注入と異なり手で持ち続ける必要はなくなり、又、室内のインテリアを兼ねて、図１から図５までの、用材の一つ、飾り金具・ビニール系の表貼り紙を、柱・横木・壁・襖等を、絵画を関連させて、破損部分を補修する図２は、小型の部分表貼り紙で補修する、図６は、応接間等を、風景で、季節感を醸し出す等インテリアの模様変えも家族みんなで係われば愛着が湧き家庭の年中行事にしても、一挙両得である。
【図面の簡単な説明】
【００１０】
【図１】  本考案に係わる白蟻予防・駆除薬液計量容器を逆さまにして注入の形態を示す正面図である。
【図２】  本考案に係わる白蟻駆除後の木栓の違和感をビニル系・無地・模様入りの小型、表貼り紙の一例・正面図である。
【図３】  本考案に係わる模様入りビニ−ル系・小型補修用・表貼り紙である。
【図４】  本考案に係わる模様入りビニ−ル系・小型補修用表貼り紙である。
【図５】  本考案に係わる模様入りビニ−ル系表貼り紙の様式と、従来のドリル穿孔部の飾り金具を併用した柱の正面図である。
【図６】  本考案に係わる関連模様入りビニ−ル系表貼り紙にてリフォーム時の柱・壁・襖等に用いた図６・３・４は小型貼り紙による補修を表す正面図である。
【符号の説明】１・・・柱
２・・・飾り金具
３・・・飾り金具と柱まで貫通の穿孔部
４・・・本件専用容器
５・・・ビニ−ル系小型表貼り紙
６・・・ビニ−ル系補修用・小型表貼り紙
７・・・ビニ−ル系・柱・壁・襖等インテリアとして絵画入り関連した模様の表貼り紙
【図１】
0003163786.tif 000003
【図２】
0003163786.tif 000004
【図３】
0003163786.tif 000005
【図４】
0003163786.tif 000006
【図５】
0003163786.tif 000007
【図６】
0003163786.tif 000008
【手続補正書】
【提出日】平成21年10月30日(2009.10.30)
【手続補正１】
【補正対象書類名】実用新案登録請求の範囲
【補正対象項目名】全文
【補正方法】変更
【補正の内容】
【実用新案登録請求の範囲】
【請求項１】
逆さまにして用いる白蟻予防・駆除薬液計量容器（以下薬液計量容器とします）においては、樹脂製で形状をロケット型とした全高１５ｃｍ、円筒形底部から三分の二近くまでの本体直径４．５ｃｍ上部三分の一が薬液注出用・管状を形成、容器先端の円周直径０．６ｃｍ管の内径０．０７ｃｍとし、先端部と本体との接続部の円周の直径を木材へのドリル穿孔の開口部サイズに整合した円周の直径が０、９ｃｍ、本体との連結部がなだらかなロケット型形態で、容量を「１型」１５０ｍＬ、「２型」はやや太めの２００ｍＬ、薬物は毒・劇物又、環境汚染等を考慮した各条例の、規格・認定薬品を用い市販の家庭菜園・園芸用の消毒剤・液肥等と同様に取り扱い可能とした家屋の柱・横木等の木質部を又、生木の害虫マツノザイセンチュウや木食い虫の予防・駆除にも関心を持つ向きもありかと、事業化することで、作業工程として柱等木材に先ず、一斉にドリル穿孔、次に容器の栓を開け一斉に穿孔した開口部へ、計量容器を柱・横木等の大きさに応じた適量１型１５０ｍＬ・２型２００ｍＬを注入総てが、流れ作業で、かっては業者間ではホ−スを手で持って注入又は、噴霧・散布する方法であったが、容器による薬液の注入法が効率的で木材の中芯部へ浸透が早く作業も効率よく、個人の貴重な財産を守るため、楽しく年中行事のように一家総出で、毎年飛来する白蟻等害虫に対処するにはマニュアルに沿った仕様で、家主や管理者、業者の現場作業者（素人にも容易に使いこなせる）も使用可能な、逆さまにして用いる白蟻予防・駆除薬液計量容器。
【請求項２】
上記、逆さまにして用いる白蟻予防・駆除薬液計量容器（以下、薬液計量容器とします）を用いた一連の工程を終え、ドリル穿孔部の閉栓となるが、客間や、あらたまった風情のある部屋の柱等に質感の異なった木栓は素朴でも不似合いであり又、駆除の際に持ち主の注文や制限があったりする場合も多くそのような時に、本考案薬液計量容器を用いた後に一穴用飾り栓、二穴用貼り付け式の樹脂製飾り張り紙及び二穴用・飾り金具で請求項１記載の薬液計量容器関連のインテリア。
【請求項３】
上記、請求項１及び請求項２記載のすべての事項を、個人の貴重な財産である家屋特に、木造の日本家屋を子々孫々、１００年〜２００年持たす為の手段として老朽化は防げないものの、白蟻等の蝕害は注意を怠らなければ、防げるもので、それには、家の持ち主や、管理者が、請求項１の１４行目記載の、貴重な財産という個人を主眼にしたもので、時系列的に過去〜現在まで、特に周期的な白蟻駆除対策等の記録を家暦簿の一例として（○○○○年・家の新築又は築〜○○年、業者による白蟻駆除は○○年、次回の施術は、薬効の切れる五年後、然し毎年飛来する白蟻を予防するには、二年毎の春に家主家族総出で、マニュアルに沿った仕様で予防処置を行った）等々を作成し、子孫へと承継する家暦簿。
【手続補正２】
【補正対象書類名】明細書
【補正対象項目名】００１０
【補正方法】変更
【補正の内容】
【００１０】
【図１】    逆さまにして用いる白蟻予防・駆除薬液軽量容器を示す図である。
【図２】    上記薬液計量容器の使用時の解明図である。
【図３】    柱等へのドリル穿孔部．閉栓用、飾り栓である。
【図４】    飾り金具によるドリル穿孔部二穴用閉栓態様図である。
【図５】    飾り金具二穴用取り付け時の釘穴である。
【符号の説明】
１    薬液計量容器本体
２    キャップ
３    ドリル穿孔部
４    飾り栓
５    飾り金具・二穴用
６    柱などへ取り付ける釘穴・二穴用飾り金具
【手続補正３】
【補正対象書類名】図面
【補正対象項目名】全図
【補正方法】変更
【補正の内容】
【図１】
0003163786.tif 000009
【図２】
0003163786.tif 000010
【図４】
0003163786.tif 000011
【図５】
0003163786.tif 000012
【手続補正書】
【提出日】平成22年2月4日(2010.2.4)
【手続補正１】
【補正対象書類名】実用新案登録請求の範囲
【補正対象項目名】全文
【補正方法】変更
【補正の内容】
【実用新案登録請求の範囲】
【請求項１】
逆さまにして用いる白蟻予防・駆除薬液計量容器（以下、薬液計量容器とします）においては樹脂製で「１型小」及び「２型大」の２タイプとし、先端に細い管状部４０〜５０ミリメ−トルの薬液注出口を備えた円筒の底面の径４０〜４５ミリメ−トルのロケット型（図１〜１）容器の高さ１３０〜１６０ミリメ−トル、容量「１型小」１００〜「２型大」１３０ミリリットル（環境汚染を考慮・許容範囲内）の白蟻駆除薬入り容器、予防・駆除の施術の工程は、予防・駆除対象の木造家屋の柱・横木の木質部へあらかじめ径１０ミリメ−トルのドリル穿孔した注入箇所へ逆さまにして注入、完了後・閉栓とする仕様・構成からなるもので、木造家屋の柱・横木の木質部のみにとどまらず、白蟻の侵入し易い水周り床下の木質部、生木の庭木にも駆除・予防が可能な、逆さまにして用いる白蟻予防・駆除薬液計量容器。
【請求項２】
白蟻の予防・駆除に関して、請求項１記載の構成及び、仕様により、一連の工程を実施後に、木栓も必要としながらも、木造家屋の床の間・間仕切りの襖近く柱・横木のドリル穿孔部に従来の木栓にて閉栓した場合、周囲との調和を考慮しての一例として、（図２及び図３）の木栓の代わりに樹脂栓・木質栓・金属栓の頭頂に飾りを付けた飾り栓、又並列に１本の柱へ２箇所のドリル穿孔の場合には（図４〜図５）のように、金属製の平板な飾り金具・金具の飾り栓、模様入り樹脂製・張り紙の場合は、飾り樹脂栓・飾り木栓を、樹脂製張り紙を用いた場合、柱・横木のドリル穿孔部が、透視可能なため柱・横木に貼りつけた後、ドリル穿孔箇所に整合させ、張り紙に十字に切り込みを入れ直接に飾り栓を嵌め込むことを可能とした薬液計量容器の周辺用品。
【手続補正２】
【補正対象書類名】明細書
【補正対象項目名】全文
【補正方法】変更
【補正の内容】
【考案の詳細な説明】
【技術分野】
【０００１】木造家屋を白蟻による蝕害から守るために、逆さまにして用いる白蟻予防・駆除薬液計量容器（以下薬液計量容器とします）を用いて駆除作業を行う際は、家屋の柱や横木の駆除対象箇所に予めドリル穿孔を施し、駆除薬入り薬液計量容器を逆さまにして注入、注入時は手により支えることもいらず、ロケット型で最後まで残さず注入できることを特徴とし、尚、庭木・生木にも予防・駆除が可能で大切な個人の財産である家屋は、通常、新築時は、木材を乾燥・燻蒸・浸漬法を経たものを用いているが、予防処理した切り出し当初の木材の、駆除薬の薬効も５年くらいとなっている。
【背景技術】
【０００２】白蟻駆除の本格的点検は、五年毎に駆除業者へ依頼、業者は、一貫して、床下の土壌・換気の処置、消毒、天井裏まで駆除し、営巣に対しては巣の完全撤去、柱・横木の侵食部は修繕補強もされ、柱・横木を探知機により点検・確認し薬液・注入の現場作業を終了し木栓又は、飾り栓で閉栓しすべての作業を終了する仕様、依頼主の家主も、家屋の一大事を遣り熟なし、暫くは安心とすっかり白蟻のことは忘れてしまうことに、然し２・３年も経たぬ間に、家の床下や水周りの箇所から羽蟻が飛び出すことに、白蟻は毎年飛来し、虎視眈々と、家屋の木材部に取りつく例も多く、そのような事例に対応する為には家主自らも白蟻被害に、費用を掛けずに、自衛が望まれるのである。
【考案の開示】
【考案が解決しようとする課題】
【０００３】毎年飛来する白蟻に何時着巣されるか、これでは、白蟻と（人）家主との終わり無き戦いであり、又、知らない内に白蟻が、我が家に着・営巣して、やがて子孫を増やし、羽蟻となって近隣の木造の家屋へと触手を伸ばすことにもなりかねないのであり、在来種に加え乾材白蟻も話題に、在来種のイエ・ヤマト白蟻も乾材白蟻も共に食べるものは、人の住む家屋の湿気た木材や乾材で、蝕害を蒙るのは、木造家屋の木材部、庭木の生木であり、一番の被害者は家の持ち主である。
【課題を解決するための手段】
【０００４】個人の大切な財産である家屋を毎年、飛来する白蟻から守るためには、駆除薬の薬効の切れる五年の間にも、少しの隙間からでも侵入しやがて、子孫を増やし、羽蟻となり、我が家が、発生源となって近隣へと飛散しよそ様に、大変な迷惑をかけることにもなり兼ねないのであり、家主や、管理人は、毎年々々飛来する白蟻には決して心緩めることなく対処が必要で業者に予防や駆除を依頼しても、家の持ち主たる者は、業者に点検・予防を依頼することは勿論、２・３年毎に自らも点検し、本件、薬液計量容器をもって駆除跡のドリル穿孔部に、薬液計量容器をもって、薬液を注入予防すべきもので、薬液が溢れてもその分、土壌へ流れ落ち蟻道を断つ効果があり、本件は主に予防策として、逆さまにして用いる白蟻予防・駆除薬液計量容器を提供するものである。
【考案を実施するための形態】
【０００５】業者により、ドリル穿孔処置を施し駆除薬を従来の方法によるホ−ス注入を行った穿孔跡の箇所にも、２・３年間隔で、本考案による、逆さまにして用いる薬液計量容器駆除薬を予防の為に注入を、工程は始めに、古い栓を取り除き、駆除薬入りの薬液計量容器を逆さまにして注入、この様に、家主や管理人が、自衛の為に白蟻の着巣を防ぐことにより、家屋も耐久性が増し愛着も生まれ、家主個人も軽微な費用で、確実に効力発揮でき、又、薬液計量容器においては、誰にも容易に用いることができて、閉栓においては、図４〜図５に示すようにインテリアとして用いる。
【考案の効果】
【０００６】逆さまにして用いる白蟻予防・駆除薬液計量容器においては、先ず、家屋の柱・横木のドリル穿孔部を順序よく一斉に穿孔し、次はその穿孔部へロケット型、薬液計量容器をさかさまに差込み注入する流れ作業法で行へば効率的に進められ、最後の仕上げとなる閉栓にも、飾り金具や、樹脂製・飾り張り紙・各種の栓で図１から図５までマニュアルに沿って行へば不慣れな人にも容易くでき、樹脂製の飾り張り紙の破損も容易に張り直せる、家屋を白蟻の蝕害から守る薬液計量容器・周辺用具。
【図面の簡単な説明】
【０００７】
【図１】本考案、逆さまにして用いる白蟻予防・駆除薬液計量容器の正面図である。
【図２】本考案に係わる薬液計量容器入り駆除薬を柱のドリル穿孔部へ注入形態を示す図である。
【図３】本考案に係わる周辺用具の飾り金具栓、及び、樹脂製飾り栓である。
【図４】本考案に係わる薬液計量容器・周辺用具、平板飾り金具・樹脂製飾り張り紙の態様を示す図である。
【図５】本考案、薬液計量容器、周辺用具、飾り金具・樹脂製飾り張り紙の解明図である。
【符号説明】
１・・・薬液計量容器
２・・・薬液計量容器  キャップ
３・・・ドリル穿孔部
４・・・飾り金具・飾り金具栓・樹脂製飾り張り紙・飾り栓
５・・・薬液計量容器・周辺用具・平板飾り金具・樹脂製飾り張り紙
６・・・平板飾り金具・柱・横木取り付け釘穴、図５の６は飾り金具栓、樹脂製飾り張り紙の透かして見えるドリル穿孔部上に整合し十字の切込みを入れ、閉栓した飾り張り紙用、飾り栓
【手続補正３】
【補正対象書類名】図面
【補正対象項目名】全図
【補正方法】変更
【補正の内容】
【図１】
0003163786.tif 000013
【図２】
0003163786.tif 000014
【図３】
0003163786.tif 000015
【図４】
0003163786.tif 000016
【図５】
0003163786.tif 000017
【手続補正書】
【提出日】平成22年6月1日(2010.6.1)
【手続補正１】
【補正対象書類名】実用新案登録請求の範囲
【補正対象項目名】請求項１
【補正方法】変更
【補正の内容】
【請求項１】
白蟻駆除・予防薬液容器（以下薬液容器とします）においては、木造家屋の基盤ともいえる柱・梁等の木材部を白蟻の蝕害から守るための方法として、駆除作業の工程で、薬液・薬液を入れる用具である容器に関するものであり、本考案薬液容器の形状は、樹脂製で柱等木材のドリル穿孔部の奥行き７０ｍｍより、やや短い長さの、５５ｍｍの筒状の薬液注出部を有したロケット型容器で使用時は逆さまに近く９０°の角度で柱等駆除箇所のドリル開口部へ挿入、手で支えずに注出できる白蟻駆除・予防薬液容器。
【手続補正２】
【補正対象書類名】実用新案登録請求の範囲
【補正対象項目名】請求項２
【補正方法】変更
【補正の内容】
【請求項２】
家屋の柱・梁等の木材部を白蟻駆除・予防の為にドリル穿孔し開口部から、本考案薬液容器入り、薬液を注入する仕様の最後の仕上げとして閉栓に木栓を用いるが、本考案は飾り栓を用いるもので、木栓の頭に紋入りとか、花模様を飾った樹脂又は、木栓による関連したねじ込み取り出し自由な飾り栓。
【手続補正３】
【補正対象書類名】明細書
【補正対象項目名】全文
【補正方法】変更
【補正の内容】
【考案の詳細な説明】
【技術分野】
【０００１】  本考案は、木造建築の基盤ともいえる、柱・梁等木材部を白蟻の蝕害から守るため、駆除・予防の現場作業に用いる薬液容器に関するものである。
【背景技術】
【０００２】  白蟻の駆除においては、専門の駆除業者に依頼し、木造家屋の新築時の建材は木材・林業関係の業者によって、薬液浸漬・燻蒸・乾燥等の処理材を用いるが、薬液処理材においても、経年的に薬効も薄れ四・五年で再度の予防や駆除の施術をしなくてはならず、駆除や修理と、経済的にも大出費であり、又、毎年飛来する白蟻に、着床されることにもなるのである。
【考案の概要】
【考案が解決しようとする課題】
【０００３】  家白蟻に加え、外来種の幹材白蟻まで、何時家屋に着巣されるか油断すると多大な蝕害を受けることになる。個人の大切な財産である家屋の、大黒柱その他の支柱である角材が被害を受けたら、或は、地震でもあったら倒壊の危機にも遭遇しかねないのである。白蟻の唯一の食べ物である木材、殆ど、この木材で建てられた家屋を守るため又、家屋の寿命を延ばすためにも薬剤を以って白蟻を駆除・予防することで、前述の欠点を解決しようとするものである。
【課題を解決するための手段】
【０００４】  個人の財産である家屋においては、新築から５年目で、白蟻駆除業者の精密な点検を受け結果が着床無しでも、木造建築の宿命とも言える白蟻の脅威から、着床・忌避の為に先ず、予防を前提として考えたいものであり、幸いにして白蟻の着巣が無くても、家屋の永久維持の為の第一歩として白蟻駆除の専門業者に新築五年目を境に、ドリル穿孔の先鞭を施し、二・三年毎に家主・管理者が自衛、五年周期の専門白蟻駆除業者に点検を依頼すること、薬液容器により自衛することで問題点を解決している。
【考案の効果】
【０００５】  五年に一度の専門の白蟻駆除業者による精密な点検を依頼、次回五年先までの点検までの間に、隔年、二・三年周期で本考案の薬液容器を用い自衛することで家屋の耐用年を大幅に伸ばす。
【図面の簡単な説明】
【０００６】
【図１】本考案の白蟻駆除・予防薬液容器の実施例を示す正面図である。
【図２】柱・梁等ドリル穿孔部への薬液注入時の態様を示す解明図である。
【図３】飾り栓
【考案を実施するための形態】
【０００７】  白蟻駆除・予防の為に、予め、ドリルによる穿孔した柱・梁の開口部へ、木材の大小に合った容量の薬液を選び、寺社などの大柱等には２本の容器分量を注入することも可能な軽便に容易に使用できる。
【実施例】
【０００８】  本考案は、木造建築を多く建てられるわが国では、自国の山林で生産される木材を利用し大切にすることで子々孫々までも安定した住居に住むことが可能で、そのためには、家屋の周期的な点検や予防をすることであり、予防の一助としての白蟻駆除・予防薬液容器。
【符号の説明】
【０００９】  １  白蟻駆除・予防薬液容器本体
２  容器先端注出口を被栓した図
３  ドリル穿孔部えの注入仕様図及び飾り栓態様図
４  飾り栓
【手続補正４】
【補正対象書類名】図面
【補正対象項目名】全図
【補正方法】変更
【補正の内容】
【図１】
0003163786.tif 000018
【図２】
0003163786.tif 000019
【図３】
0003163786.tif 000020
【手続補正書】
【提出日】平成22年8月11日(2010.8.11)
【手続補正１】
【補正対象書類名】実用新案登録請求の範囲
【補正対象項目名】全文
【補正方法】変更
【補正の内容】
【実用新案登録請求の範囲】
【請求項１】
白蟻駆除・予防薬液容器（以下  薬液容器とします）木造建築の基盤ともいえる柱・梁等の木材部を、白蟻の蝕害から守るための方法・駆除作業の工程で用具として薬液を入れる容器に関するもので、本考案  薬液容器の形状は、樹脂製で、柱等木材のドリル穿孔部の奥行き７０ｍｍよりやや短い長さの５５ｍｍ筒状の最先端内径１ｍｍの液体注出部を有したロケット型容器とし、それにより、使用時は逆さまに近く９０°の角度で柱等  駆除箇所のドリル開口部へ挿入、手で支えずに注出できる白蟻駆除・予防薬液容器。
【請求項２】
さらに、家屋の柱・梁等の木材部を白蟻駆除・予防のためにドリル穿孔し開口部から、本考案薬液容器入り薬液を、注入する仕様の最後の仕上げとして閉栓に木栓を用いるが、本考案は、飾り栓を用いるもので、木栓の頭に紋入りとか、花模様を飾った樹脂或は木栓による関連したねじ込み取り出し自由な飾栓を備えた請求項１記載の白蟻駆除・予防薬液容器。